(57)【要約】【課題】リレー演算に用いる整定要素毎の整定値の設定に際し、操作者による整定値の入力漏れや入力ミスを確実に防止可能な保護制御装置及びその制御方法を提供する。【解決手段】整定表示処理部５２０の整定表示判定手段５２０ｂは、対象となるリレー要素のメモリ３００に格納された各整定要素に対して、表示態様設定手段５２０ａにより非表示と設定されているかを判定する。整定表示判定手段５２０ｂにより非表示であると判定された場合に、整定表示手段５２０ｃが、表示部８００への整定要素の選択用画面を表示するにあたり、この整定要素１を非表示とする。非表示でないと判定された場合に、整定表示手段５２０ｃは、この整定要素１と共に、当該整定要素１の整定値を表示部８００に表示する。【選択図】図１
2011061935.tif 000002
【特許請求の範囲】
【請求項１】
電力系統からの電気量と整定値に基づいてリレー演算を実行する演算処理部と、前記整定値の設定に関する処理を実行する整定値設定処理部と、表示部と、を備えた保護制御装置であって、
前記整定値設定処理部は、
前記リレー演算のリレー要素に必要な１以上の整定要素を前記表示部に表示する整定要素表示処理部と、
前記整定要素表示処理部により表示された整定要素に対して整定値を設定する整定値設定実行部と、を備え、
前記整定要素表示処理部は、
予め前記表示部に非表示とする整定要素を設定する非表示設定手段と、
前記非表示設定手段による設定結果に基づいて、非表示となる整定要素を前記表示部に表示しないと判定する表示判定手段と、を備えたことを特徴とする保護制御装置。
【請求項２】
前記整定要素毎に整定値を格納するメモリを備え、
前記表示判定手段は、前記非表示となる整定要素と共に、当該整定要素に対応する整定値を前記表示部に表示しないことを特徴とする請求項１に記載の保護制御装置。
【請求項３】
電力系統からの電気量と整定値に基づいてリレー演算を実行する演算処理部と、前記整定値の設定に関する処理を実行する整定値設定処理部と、表示部と、を備えた保護制御装置であって、
前記整定値設定処理部は、
前記リレー演算のリレー要素に必要な１以上の整定要素を前記表示部に表示する整定要素表示処理部と、
前記整定要素表示処理部により表示された整定要素に対して整定値を設定する整定値設定実行部と、を備え、
前記整定要素表示処理部は、
予め前記表示部に表示とする整定要素を設定する表示設定手段と、
前記表示設定手段による設定結果に基づいて、表示となる整定要素のみを前記表示部に表示すると判定する表示判定手段と、を備えたことを特徴とする保護制御装置。
【請求項４】
前記整定要素毎に整定値を格納するメモリを備え、
前記表示判定手段は、前記表示となる整定要素と共に、当該整定要素に対応する整定値を前記表示部に表示することを特徴とする請求項３に記載の保護制御装置。
【請求項５】
電力系統からの電気量と整定値に基づいてリレー演算を実行する演算処理部と、前記整定値の設定に関する処理を実行する整定値設定処理部と、表示部と、を備えた保護制御装置の制御方法であって、
前記整定値設定処理部は、
前記リレー演算のリレー要素に必要な１以上の整定要素を前記表示部に表示する整定要素表示処理部と、
前記整定要素表示処理部により表示された整定要素に対して整定値を設定する整定値設定実行部と、を備え、
前記整定要素表示処理部は、
予め前記表示部に非表示とする整定要素を設定する非表示設定ステップと、
前記非表示設定ステップでの設定結果に基づいて、非表示となる整定要素を前記表示部に表示しない表示判定ステップと、を実行することを特徴とする保護制御装置の制御方法。
【請求項６】
前記整定要素毎に整定値を格納するメモリを備え、
前記表示判定ステップは、前記非表示となる整定要素と共に、当該整定要素に対応する整定値を前記表示部に表示しないことを特徴とする請求項５に記載の保護制御装置の制御方法。
【請求項７】
電力系統からの電気量と整定値に基づいてリレー演算を実行する演算処理部と、前記整定値の設定に関する処理を実行する整定値設定処理部と、表示部と、を備えた保護制御装置の制御方法であって、
前記整定値設定処理部は、
前記リレー演算のリレー要素に必要な１以上の整定要素を前記表示部に表示する整定要素表示処理部と、
前記整定要素表示処理部により表示された整定要素に対して整定値を設定する整定値設定実行部と、を備え、
前記整定要素表示処理部は、
予め前記表示部に表示とする整定要素を設定する表示設定ステップと、
前記表示設定ステップでの設定結果に基づいて、表示となる整定要素のみを前記表示部に表示する表示判定ステップと、を実行することを特徴とする保護制御装置の制御方法。
【請求項８】
前記整定要素毎に整定値を格納するメモリを備え、
前記表示判定ステップは、前記表示となる整定要素と共に、当該整定要素に対応する整定値を前記表示部に表示することを特徴とする請求項７に記載の保護制御装置。
【発明の詳細な説明】
【技術分野】
【０００１】
本発明は、電力系統を保護する保護制御装置に係り、リレー演算に使用する整定値の設定技術に関する。
【背景技術】
【０００２】
電力系統を保護するディジタル形保護制御装置では、入力された電力系統の電気量や状態量をディジタル量に変換し、当該ディジタル量を用いて所定の保護制御演算を行い、この演算結果に応じて遮断器等を制御することにより、電力系統の保護制御を行う。
【０００３】
一般的に、このディジタル形保護制御装置にはリレー要素が組み込まれ、当該リレー要素は、電力系統の電気量がＰＴ、ＣＴを介して所定のレベルに変換された系統電気量入力を所定の演算アルゴリズムにより演算処理し、その演算結果を所定の判定レベルと比較して、その大小関係により動作又は不動作の出力をするように構成されている。なお、所定の判定レベルとは、保護対象系統の運用条件や周辺系統の条件により変化する可変値であり、リレー要素の整定値として保護制御装置に取り込んでいる。
【０００４】
このような整定値の設定は、例えば、選択対象となるリレー要素に対する各整定要素が表示された画面上において、整定要素を選択後、当該要素に対する整定値の設定画面を表示し、ユーザからの入力に応じて当該整定値を設定する。
【０００５】
ここで、整定要素毎の整定値の入力操作を受け付ける表示画面上において、整定要素が複数ある場合、当該整定要素に対応する整定値を設定、あるいは変更するに際し、入力漏れや入力ミスが生じる可能性がある。整定値の設定に誤りがあると、リレー演算に使用する整定値が誤りが生じることとなるため、リレー動作出力又は不動作出力に誤りが生じてしまう。
【０００６】
そのため、選択された１つの整定要素とは別に、他の関連のある整定要素を異なる表示態様で表示することにより、整定値の人為的な設定漏れを防止する発明が提案されている（特許文献１参照。）。
【先行技術文献】
【特許文献】
【０００７】
【特許文献１】特開平１−１５７２１４号公報
【発明の概要】
【発明が解決しようとする課題】
【０００８】
ところで、上記のような特許文献１に記載の発明では、選択された整定要素とは別に、表示するその他の関連整定要素の全てに対して点滅表示処理を施している。しかしながら、関連する未選択の整定要素を点滅表示すると共に、選択後の整定値を表示する場合であっても、整定値の入力漏れや入力ミスを確実に防止できるものではなく、操作者の意思が必ずしも正確に反映されるとは限らない。
【０００９】
なお、リレー要素に対して複数の整定要素がある場合には、一般的に設定又は変更する対象・非対象となる整定要素が存在するので、予め対象・非対象となる整定要素を設定することができれば、入力漏れを的確に防止でき、整定操作の効率も向上する。
【００１０】
本発明は、このような問題を解消するために提案されたものであって、その目的は、リレー演算に用いる整定要素毎の整定値の設定に際し、操作者による整定値の入力漏れや入力ミスを確実に防止可能な保護制御装置及びその制御方法を提供することにある。
【課題を解決するための手段】
【００１１】
上述した目的を達成するために、本発明は、電力系統からの電気量と整定値に基づいてリレー演算を実行する演算処理部と、前記整定値の設定に関する処理を実行する整定値設定処理部と、表示部と、を備えた保護制御装置であって、前記整定値設定処理部は、前記リレー演算のリレー要素に必要な１以上の整定要素を前記表示部に表示する整定要素表示処理部と、前記整定要素表示処理部により表示された整定要素に対して整定値を設定する整定値設定実行部と、を備え、前記整定要素表示処理部は、予め前記表示部に非表示とする整定要素を設定する非表示設定手段と、前記非表示設定手段による設定結果に基づいて、非表示となる整定要素を前記表示部に表示しないと判定する表示判定手段と、を備えたことを特徴とする。
【発明の効果】
【００１２】
以上のような本発明によれば、整定要素の選択用の画面を表示する際に、整定表示処理部により予め非表示とする整定要素及び当該整定要素の整定値を設定することができるので、対象となるリレー要素の整定要素が複数ある場合であっても、整定要素の入力漏れや入力ミスを確実に防止することが可能となり、整定操作の効率も向上させることができる。
【図面の簡単な説明】
【００１３】
【図１】本発明の本実施形態に係る保護制御装置の構成を示す機能ブロック図。
【図２】本発明の本実施形態に係る保護制御装置の整定値設定処理部の構成を示す機能ブロック図。
【図３】本発明の本実施形態に係る保護制御装置の整定値設定処理部の整定表示処理部の構成を示す機能ブロック図。
【図４】本発明の本実施形態に係る整定表示処理部の表示態様設定手段による整定要素及び設定値に対する非表示設定の一覧を示す図。
【図５】本発明の本実施形態に係る整定値の設定手順を示すフローチャート。
【図６】本発明の本実施形態に係る整定要素の選択用画面の表示手順を示すフローチャート。
【図７】本発明の他の実施形態に係る整定要素の選択用画面の表示手順を示すフローチャート。
【発明を実施するための形態】
【００１４】
［本実施形態］
［１．構成］
［１．１．全体構成］
次に、本発明の本実施形態に係る保護制御装置の構成を図１を参照して以下に説明する。なお、図１は、本実施形態に係る保護制御装置の構成を示す機能ブロック図である。
【００１５】
図１に示す通り、保護制御装置は、電力系統から電気量や状態量を取り込むアナログ入力回路１００と、それをディジタル変換するアナログ／ディジタル変換器２００（以下、Ａ／Ｄ変換器２００と称する。）と、各種データを格納するメモリ３００と、リレー演算処理を行う演算処理部４００と、リレー演算に使用する整定値の設定処理を行う整定値設定処理部５００と、ディジタル出力回路６００（以下、Ｄ／Ｏ回路６００と称する。）と、から構成されている。さらに、ユーザからのリレー演算処理の「運用開始」操作や、整定処理に関する各種操作などの入力を受け付けるヒューマン・マシン・インターフェース（ＨＩ）である入力部７００と、各種設定画面を表示する表示部８００と、を備えている。なお、各構成要素は、情報の送受信ができるよう内部バスにより接続されている。
【００１６】
ここで、アナログ入力回路１００は、電力系統からの電圧及び電流をマイコン等の半導体回路で使用するために適当な大きさに変換する入力変換器と、出力する電気量のために高調波をカットするアナログフィルタを備えている。Ａ／Ｄ変換器２００は、アナログ入力回路１００からのアナログ電気量をサンプリングするサンプルホールド回路と、そのサンプル値を時系列に並び替えるマルチプレクサと、その後アナログ／ディジタル変換するアナログディジタル変換部と、を備えている。
【００１７】
メモリ３００は、アナログ入力回路１００を通じて入力された電力系統の電圧及び電流に関するデータや、リレー演算時に用いる系統故障検出の基準となる、各リレー要素に対応した１以上の整定要素、及び当該整定要素に対応する整定値などの保護制御装置で使用する全般データを格納する。
【００１８】
演算処理部４００は、マイクロプロセッサユニット（ＭＰＵ）、ＲＯＭ、ＲＡＭからなる保護制御装置に関する各種処理を実行する部位であって、リレー演算処理を実行し、演算処理の結果、電力系統等の保護対象の事故を検出した場合には、Ｄ／Ｏ回路６００を介して遮断器等にトリップ指令を出力する。なお、このような保護対象の監視処理は一般的なものと同様であるため、具体的な説明は省略する。
【００１９】
整定値設定処理部５００は、整定値の実行に関わる各種処理を実行する整定値設定実行部５１０と、本実施形態の特徴でもある整定値の設定における各種操作画面の表示処理を行う整定表示処理部５２０と、から構成されている。以下、整定値設定処理部５１０と整定表示処理部５２０の構成について図２及び３を参照して説明する。
【００２０】
［１．２．整定値設定実行部の構成］
整定値設定実行部５１０は、対象となるリレー要素の整定要素の設定、整定値の設定、メモリ３００への書込み、整定値の絶対値チェック、整定値同士の相対値チェック等、一般的な整定値設定に関する動作処理と同様であるので具体的な説明は省略するが、念のため、図２を参照して下記に基本構成の一例を示しておく。図２は、整定値設定実行部５１０の構成を示す機能ブロック図である。
【００２１】
図２に示す通り、整定値設定実行部５１０は、整定表示処理部５２０により整定要素の選択用画面が表示部８００に表示された状況下において、ユーザによる入力部７００を介した選択操作に応じて、選択された整定要素を設定する要素設定手段５１０ａを備えている。
【００２２】
また、整定表示処理部５２０により表示された整定要素に対する整定値設定用の画面上において、ユーザからの入力部７００を介した入力操作に応じて、新しい整定値を設定する整定値設定手段５１０ｂを備えている。さらに、ユーザからの入力部７００を通じた「書込」の入力操作に応じて、整定値設定手段５１０ｂにより設定された整定値をメモリ３００に書き込む書込手段５１０ｃを備えている。
【００２３】
加えて、整定値に対する絶対値チェックとして、メモリ３００に書き込んだ整定値が許容範囲内の値であるかを判定する絶対値判定手段５１０ｄを備えている。これにより、設定した整定値が適当であるかを判断する。
【００２４】
また、ユーザによる入力部７００を介した「運用開始」の操作に応じて、整定値に対する相対値チェックとして、メモリ３００に書き込まれた整定値同士で、相対的に妥当な値を示しているかを判定する相対値判定手段５１０ｅを備えている。この相対値判定手段５１０ｅは、一般的に、メモリ３００に書き込まれた整定値間で、相対値の妥当性を示す論理式が成立するかを判定し、成立する場合に当該整定値同士の相対値が適当であると判定する。
【００２５】
なお、絶対値判定手段５１０ｄにより整定値が許容範囲外であると判定された場合、又は、相対値判定手段５１０ｅにより整定値同士の相対値が不適当であると判定された場合に、整定不良の警報メッセージ等を表示部８００に出力する整定不良警報手段５１０ｆも一般的に備えている。
【００２６】
［１．３．整定表示処理部の構成］
次に、本実施形態の特徴である整定表示処理部５２０の具体的な構成について、図３を参照して説明する。図３は、整定値設定処理部５００の整定表示処理部５２０の構成を示す機能ブロック図である。
【００２７】
整定表示処理部５２０は、図３に示す通り、ユーザからの選択操作又は設定操作を受け付けるための画面を表示部８００に表示する際、非表示とする整定要素，整定値を設定する表示態様設定手段５２０ａを備えている。例えば、図４に示すように、表示部８００に表示された各整定要素（整定項目とも言う。）、及び整定要素毎の整定値の一覧に対して、入力部７００を介した操作に応じて非表示とする整定要素、及び当該整定要素の整定値に対応する非表示フラグを「１」とするよう設定する。
【００２８】
整定表示処理部５２０は、また、表示態様設定手段５２０ａにより設定された非表示とする整定要素及び当該整定要素の整定値と、メモリ３００に格納された当該整定要素の整定値と、に基づいて、表示部８００に非表示とする整定要素及び当該整定要素の整定値を判定する整定表示判定手段５２０ｂを備えている。
【００２９】
さらに、整定表示判定手段５２０ｂによる判定結果に応じて、ユーザによる整定要素の選択操作及び整定値の設定操作を受け付けるために、整定要素の選択用画面を表示部８００に表示する整定表示手段５２０ｃを備えている。この整定表示手段５２０ｃは、整定表示判定手段５２０ｂにより判定結果を考慮し、表示すべき整定要素が決定した場合に、この整定要素と共に当該整定要素の整定値も表示部８００に表示する。なお、この整定表示手段５２０ｃは、整定値に関する情報だけでなく、整定値のメモリへの書込みや、絶対値チェック用の情報なども表示部８００に表示することが可能である。
【００３０】
［２．作用効果］
［２．１．整定値設定作用（概略）］
次に、上記のような構成を有する本実施形態に係る整定値設定の概略手順を、図５のフローチャートを参照して以下に説明する。
【００３１】
図５に示す通り、整定設定が開始すると、まず、整定値設定処理部５００の整定表示処理部５２０が、ユーザからの整定要素の選択操作を受け付けるために、整定要素の選択用画面を表示部８００に表示する（Ｓ５０１）。なお、整定要素の選択用画面の表示については、［２．２．整定表示作用］の項目にて詳述する。
【００３２】
そして、ユーザによる入力部７００を通じた「要素選択」操作に応じて、整定値設定処理部５００の整定値設定実行部５１０の要素設定手段５１０ａが、変更又は新規に設定対象となる整定要素を設定する（Ｓ５０２）。
【００３３】
要素設定手段５１０ａにより整定要素が設定されると、当該整定要素に対応する整定値の設定画面上において、ユーザからの入力部７００を通じた整定値の入力操作に応じて、整定値設定実行部５１０の整定値設定手段５１０ｂが、当該整定要素に対する新しい整定値を設定する（Ｓ５０３）。
【００３４】
整定値設定手段５１０ｂにより整定値が設定されると、整定表示処理部５２０は、当該設定値をメモリ３００に格納するための画面を表示部８００に表示し（Ｓ５０４）、ユーザからの入力部７００を介した「書込」操作の入力に応じて、書込手段５１０ｃが、この整定値をメモリ３００に書き込む（Ｓ５０５）。
【００３５】
メモリ３００に整定値が書き込まれると、絶対値判定手段５１０ｄが、当該整定値の絶対値チェックとして、この整定値が許容範囲内の値であるかを判定する（Ｓ５０６）。ここで、絶対値判定手段５１０ｄにより整定値が許容範囲外にあると判定された場合には（Ｓ５０６のＮＯ）、整定不良警報手段５１０ｆが、整定不良の警報メッセージ等を表示部８００に出力すると共に（Ｓ５０７）、Ｓ５０３に戻り、整定値の入力操作から一連の整定値設定処理が繰り返し実施される。
【００３６】
一方、絶対値判定手段５１０ｄにより整定値が許容範囲内にあると判定された場合には（Ｓ５０６のＹＥＳ）、相対値判定手段５１０ｅが、整定値の相対値チェックとして、メモリ３００に書き込まれた整定値同士の相対値が適当であるかを判定する（Ｓ５０８）。ここで、相対値判定手段５１０ｅにより整定値同士の相対値が不適当であると判定された場合には（Ｓ５０８のＮＯ）、整定不良警報手段５１０ｆが、整定不良の警報メッセージ等を表示部８００に出力すると共に（Ｓ５０９）、Ｓ５０２に戻り、「要素選択」操作からの一連の整定値の設定処理が繰り返し実施される。
【００３７】
一方、相対値判定手段５１０ｅにより整定値同士の相対値の適当であると判定された場合には（Ｓ５０８のＹＥＳ）、整定値の設定処理を終了する。
【００３８】
［２．２．整定表示作用］
次に、上記Ｓ５０１で示した整定要素の選択用の表示部８００への整定要素の表示手順について、図６を参照して以下に説明する。なお、前提として、ユーザからの選択操作により、表示態様設定手段５２０ａにおいて非表示とする整定要素を設定しておくものとする。また、図６のフロチャートでは、一例として、対象となるリレー要素の整定要素を３つとして説明する。
【００３９】
図６に示す通り、整定要素の表示処理がスタートすると、まず、整定表示処理部５２０の整定表示判定手段５２０ｂは、対象となるリレー要素のメモリ３００に格納された各整定要素に対して、表示態様設定手段５２０ａにより非表示と設定されているかを判定する。
【００４０】
具体的には、まず、整定要素１に対して、整定表示判定手段５２０ｂによる非表示判定処理を実行する（Ｓ６０１）。そして、整定表示判定手段５２０ｂにより非表示であると判定された場合には（Ｓ６０１のＹＥＳ）、整定表示手段５２０ｃは、表示部８００への整定要素の選択用画面を表示するにあたり、この整定要素１を非表示とする（Ｓ６０２）。  
【００４１】
一方、整定表示判定手段５２０ｂにより非表示でないと判定された場合には（Ｓ６０１のＮＯ）、整定表示手段５２０ｃは、表示部８００への整定要素の選択用画面を表示するにあたり、この整定要素１を表示する（Ｓ６０３）。ここで、整定表示手段５２０ｃは、整定要素を表示とする場合、当該整定要素と共に、その整定要素の整定値も表示部８００に表示する。すなわち、整定要素１と共に整定要素１の整定値も表示部８００に表示する。なお、整定要素及び整定値を表示部８００に表示する際には、ユーザからの入力受付用の機能を備えたヒューマン・マシン・インターフェース表示を行う。
【００４２】
次に、整定要素２に対して、上記と同様に、整定表示判定手段５２０ｂによる非表示判定処理と、整定表示手段５２０ｃによる整定要素の選択用の画面への整定要素２の表示・非表示処理を実行する（Ｓ６０４〜６０６）。そして、同様の処理を整定要素３に対しても実施し（Ｓ６０７〜６０９）、整定要素の選択用画面を表示部８００に表示処理は終了する。
【００４３】
以上のような本実施形態によれば、整定要素の選択用の画面を表示する際に、整定表示処理部により予め非表示とする整定要素及び当該整定要素の整定値を設定することができるので、対象となるリレー要素の整定要素が複数ある場合であっても、整定要素の入力漏れや入力ミスを確実に防止することが可能となり、整定操作の効率も向上させることができる。
【００４４】
［他の実施形態］
なお、本発明は、上記のような整定表示処理部５２０による整定要素の選択用画面において非表示とする整定要素を設定する構成に限定するものではなく、図７に示す通り、表示する整定要素を予め設定しておく実施形態も包含する。
【００４５】
なお構成としては、この場合の整定表示処理部５２０において、表示態様設定手段５２０ａでは、ユーザからの整定要素の選択操作を受け付けるための画面を表示部８００に表示する際に、非表示ではなく表示する整定要素を設定する。また、整定表示判定手段５２０ｂは、表示態様設定手段５２０ａにより設定された表示する整定要素と、メモリ３００に格納された整定要素及び整定値と、に基づいて、表示部８００に表示する整定要素を判定する。整定表示手段５２０ｃは、ユーザによる整定要素の選択操作画面を表示するにあたり、整定表示判定手段５２０ｂにより表示すると判定された整定要素、及び当該整定要素の整定値を表示する。
【００４６】
この場合の整定要素の表示手順は、図７に示す通りである。すなわち、図７に示す通り、整定要素の表示処理がスタートすると、まず、整定表示処理部５２０の整定表示判定手段５２０ｂは、対象となるリレー要素のメモリ３００に格納された各整定要素に対して、表示態様設定手段５２０ａにより表示と設定されているかを判定する。
【００４７】
具体的には、まず、整定要素１に対して、整定表示判定手段５２０ｂによる表示判定処理を実行する（Ｓ７０１）。そして、整定表示判定手段５２０ｂにより表示であると判定された場合には（Ｓ７０１のＹＥＳ）、整定表示手段５２０ｃは、表示部８００への整定要素の選択用画面を表示するにあたり、この整定要素１を表示とする（Ｓ７０２）。ここで、整定表示手段５２０ｃは、整定要素を表示する場合、当該整定要素と共に、その整定要素の整定値も表示部８００に表示する。すなわち、整定要素１と共に、整定要素１の整定値も表示部８００に表示する。
【００４８】
一方、整定表示判定手段５２０ｂにより表示しないと判定された場合には（Ｓ７０１のＮＯ）、整定表示手段５２０ｃは、表示部８００への整定要素の選択用画面を表示するにあたり、この整定要素１を非表示とする（Ｓ７０３）。
【００４９】
次に、整定要素２に対して、上記と同様に、整定表示判定手段５２０ｂによる表示判定処理と、整定表示手段５２０ｃによる整定要素の選択用の画面への整定要素２の表示・非表示処理を実行する（Ｓ７０４〜７０６）。そして、同様の処理を整定要素３に対しても実施し（Ｓ７０７〜７０９）、整定要素の選択用画面を表示部８００に表示処理は終了する。
【符号の説明】
【００５０】
１００…アナログ入力回路
２００…アナログ／ディジタル変換器
３００…メモリ
４００…演算処理部
５００…整定値設定処理部
５１０…整定値設定実行部
５１０ａ…要素設定手段
５１０ｂ…整定値設定手段
５１０ｃ…書込手段
５１０ｄ…絶対値判定手段
５１０ｅ…相対値判定手段
５１０ｆ…整定不良警報手段
５２０…整定表示処理部
５２０ａ…表示態様設定手段
５２０ｂ…整定表示判定手段
５２０ｃ…整定表示手段
６００…ディジタル出力回路
７００…入力部
８００…表示部
【図１】
2011061935.tif 000003
【図２】
2011061935.tif 000004
【図３】
2011061935.tif 000005
【図４】
2011061935.tif 000006
【図５】
2011061935.tif 000007
【図６】
2011061935.tif 000008
【図７】
2011061935.tif 000009